(57)【要約】      （修正有）【課題】現送準備処理に関する機能を改善した貨幣処理システムを提供する。【解決手段】貨幣処理システム１は、貨幣処理装置を含む複数の保管場所、紙幣処理装置１０，硬貨処理装置２０，損貨処理装置５００，損券処理装置６００，現金保管装置７００，手持ち８００，在庫９００について、保管されている貨幣を貨幣の種類別に管理する管理制御部３０と、貨幣の種類毎に、貨幣の合計量に対して予め設定される設定値を記憶する記憶部３５とを備える。管理制御部３０は、複数の保管場所に保管されている貨幣の合計量を貨幣の種類毎に算出し、算出した合計量のいずれかが、記憶部３５に記憶された当該貨幣の種類に係る設定値に達すると、ユーザに対して報知を行う。【選択図】図２
2017215886.tif 000002
【特許請求の範囲】
【請求項１】
貨幣処理システムであって、
貨幣を収納する収納部を有する、少なくとも１つの貨幣処理装置と、
前記貨幣処理装置を含む複数の保管場所について、保管されている貨幣を、貨幣の種類別に、管理する制御部と、
貨幣の種類毎に、貨幣の合計量に対して予め設定される設定値を記憶する記憶部とを備え、
前記制御部は、
前記複数の保管場所に保管されている貨幣の合計量を、貨幣の種類毎に、算出し、
算出した合計量のいずれかが、前記記憶部に記憶された、当該貨幣の種類に係る前記設定値に達すると、ユーザに対して報知を行う
ことを特徴とする貨幣処理システム。
【請求項２】
請求項１記載の貨幣処理システムにおいて、
画面を有する表示部を備え、
前記制御部は、前記報知として、前記表示部の画面に、所定のアイコンを表示する
ことを特徴とする貨幣処理システム。
【請求項３】
請求項１記載の貨幣処理システムにおいて、
画面を有する表示部を備え、
前記制御部は、前記表示部の画面に、少なくとも算出した合計量が設定値に達した貨幣の種類の一覧を示す一覧画像を、表示可能である
ことを特徴とする貨幣処理システム。
【請求項４】
請求項３記載の貨幣処理システムにおいて、
前記一覧画像は、算出した合計量の前記保管場所毎の内訳を示す情報を含む
ことを特徴とする貨幣処理システム。
【請求項５】
請求項３または４記載の貨幣処理システムにおいて、
前記制御部は、前記一覧画像において、算出した合計量が設定値に達した貨幣の種類について、手持ちの貨幣量が前記設定値に達するようにユーザが行うべき処理として推奨する処理を、誘導処理として表示する
ことを特徴とする貨幣処理システム。
【請求項６】
請求項５記載の貨幣処理システムにおいて、
前記制御部は、前記誘導処理の候補が複数ある場合において、所定の優先条件に従って、前記誘導処理を決定する
ことを特徴とする貨幣処理システム。
【請求項７】
請求項３〜６のうちいずれか１項記載の貨幣処理システムにおいて、
前記制御部は、前記一覧画像において、手持ちの貨幣量が前記設定値に達した貨幣の種類について、強調表示する
ことを特徴とする貨幣処理システム。
【請求項８】
請求項１〜７のうちいずれか１項記載の貨幣処理システムにおいて、
前記記憶部は、貨幣の種類のうち少なくとも１つについて、貨幣の合計量に対して予め設定される、前記設定値よりも小さい第２設定値を記憶しており、
前記制御部は、算出した合計量のいずれかが、当該貨幣の種類に係る前記設定値に達していないが、当該貨幣の種類に係る前記第２設定値に達しているとき、ユーザに対して、前記報知と異なる態様の第２報知を行う
ことを特徴とする貨幣処理システム。
【請求項９】
貨幣処理システムであって、
貨幣を収納する収納部を有する、少なくとも１つの貨幣処理装置と、
前記貨幣処理装置を含む複数の保管場所について、保管されている貨幣を、貨幣の種類別に、管理する制御部と、
表示部とを備え、
前記制御部は、
前記複数の保管場所に保管されている貨幣の合計量を、貨幣の種類毎に、算出し、
算出した合計量を、前記表示部に、貨幣の種類毎に一覧表示する
を備えた貨幣処理システム。
【発明の詳細な説明】
【技術分野】
【０００１】
ここに開示する技術は、金融機関の店舗等において貨幣を処理する貨幣処理システムに関する。
【背景技術】
【０００２】
従来、銀行等の金融機関の店舗では、店舗内の貨幣等を管理するための貨幣処理システムが利用されている。この貨幣処理システムでは、各貨幣処理装置に紙幣や硬貨が入出金されると、その金種、正損、真偽等の識別結果に基づいて、貨幣の金額や枚数等のデータが管理される。また、この貨幣処理システムでは、係員が手持ちとして保管している貨幣や、店舗内の金庫で保管している貨幣についても、そのデータを入力して管理することができる。
【０００３】
金融機関の店舗では、所定の貨幣をまとめて本店や現金センターへ輸送する業務がある（現送業務）。ただし、貨幣は、店舗内の複数の貨幣処理装置や保管場所で管理されているため、現送業務に向けて、これらの貨幣をとりまとめる準備処理を行う必要がある（現送準備処理）。
【０００４】
特許文献１には、貨幣処理装置内を含む複数の保管場所に保管される貨幣の在高情報を管理する現金処理システムが開示されている。この現金処理システムでは、現金輸送の対象となる貨幣の在高情報が保管場所毎に表示される。これにより、ユーザは現送準備処理が行いやすくなる。
【先行技術文献】
【特許文献】
【０００５】
【特許文献１】特開２０１５−０９４９８７号公報
【発明の概要】
【発明が解決しようとする課題】
【０００６】
最近、上述したような貨幣処理システムについて、現送準備作業の効率化のために、現送準備処理に関する機能をさらに改善し、操作性を向上させることが求められている。
【０００７】
ここに開示する技術は、かかる点に鑑みてなされたものであり、現送準備処理に関する機能を改善した貨幣処理システムを提供することを目的とする。
【課題を解決するための手段】
【０００８】
ここに開示する技術は、貨幣処理システムであって、貨幣を収納する収納部を有する少なくとも１つの貨幣処理装置と、前記貨幣処理装置を含む複数の保管場所について、保管されている貨幣を、貨幣の種類別に管理する制御部と、貨幣の種類毎に、貨幣の合計量に対して予め設定される設定値を記憶する記憶部とを備える。そして、前記制御部は、前記複数の保管場所に保管されている貨幣の合計量を、貨幣の種類毎に算出し、算出した合計量のいずれかが、前記記憶部に記憶された、当該貨幣の種類に係る前記設定値に達すると、ユーザに対して報知を行う。
【０００９】
この構成によると、貨幣処理システムにおいて、貨幣処理装置を含む複数の保管場所に保管されている貨幣の合計量が、貨幣の種類毎に算出される。そして、算出された合計量が、当該貨幣の種類に係る、予め設定された設定値に達すると、ユーザに対して報知が行われる。これにより、ユーザは、貨幣処理システムにおいて管理される貨幣の全体について、ある種類の貨幣の合計量が設定値に達したことを容易に認識することができる。したがって、ユーザは、現送準備処理が可能になったことを即座に知り、速やかに現送準備作業に着手することが可能になる。
【００１０】
そして、上述の貨幣処理システムは、画面を有する表示部を備え、前記制御部は、前記報知として、前記表示部の画面に所定のアイコンを表示する、としてもよい。
【００１１】
これにより、ユーザは、表示部の画面に所定のアイコンが表示されたとき、ある種類の貨幣の合計量が設定値に達したことを認識できる。
【００１２】
また、上述の貨幣処理システムは、画面を有する表示部を備え、前記制御部は、前記表示部の画面に、少なくとも算出した合計量が設定値に達した貨幣の種類の一覧を示す一覧画像を表示可能である、としてもよい。
【００１３】
これにより、ユーザは、表示部の画面に表示された一覧画像を見ることによって、どの種類の貨幣の合計量が設定値に達したかを容易に認識することができる。
【００１４】
また、前記一覧画像は、算出した合計量の前記保管場所毎の内訳を示す情報を含む、としてもよい。
【００１５】
これにより、ユーザは、合計量が設定値に達した貨幣について、保管場所毎の内訳を容易に認識することができる。
【００１６】
また、前記制御部は、前記一覧画像において、算出した合計量が設定値に達した貨幣の種類について、手持ちの貨幣量が前記設定値に達するようにユーザが行うべき処理として推奨する処理を、誘導処理として表示する、としてもよい。
【００１７】
これにより、ユーザは、表示された誘導処理に従って、手持ちの貨幣量が設定値に達するための処理を容易に行うことができる。
【００１８】
また、前記制御部は、前記誘導処理の候補が複数ある場合において、所定の優先条件に従って、前記誘導処理を決定する、としてもよい。
【００１９】
これにより、誘導処理は、例えば貨幣処理システムの設置状況や設置された金融機関の業務上のニーズ等に従って、決定される。
【００２０】
また、前記制御部は、前記一覧画像において、手持ちの貨幣量が前記設定値に達した貨幣の種類について、強調表示する、としてもよい。
【００２１】
これにより、ユーザは、表示部の画面に表示された一覧画像において、手持ちの貨幣量が設定値に達し、現送準備処理が可能である貨幣の種類を、容易に認識することができる。
【００２２】
また、上述の貨幣処理システムにおいて、前記記憶部は、貨幣の種類のうち少なくとも１つについて、貨幣の合計量に対して予め設定される、前記設定値よりも小さい第２設定値を記憶しており、前記制御部は、算出した合計量のいずれかが、当該種類に係る前記設定値に達していないが、当該種類に係る前記第２設定値に達しているとき、ユーザに対して、前記報知と異なる態様の第２報知を行う、としてもよい。
【００２３】
これにより、複数の保管場所に保管されている貨幣の合計量が、当該貨幣の種類に係る上述の設定値に達していないが、当該貨幣の種類に係る第２設定値に達しているとき、ユーザに対して、上述の報知と異なる態様の第２報知が行われる。これにより、ユーザは、貨幣処理システムにおいて管理される貨幣の全体について、ある種類の貨幣の合計量が、設定値に近づいていることを容易に認識することができる。
【００２４】
また、ここに開示する技術は、貨幣処理システムであって、貨幣を収納する収納部を有する、少なくとも１つの貨幣処理装置と、前記貨幣処理装置を含む複数の保管場所について、保管されている貨幣を、貨幣の種類別に管理する制御部と、表示部とを備える。そして、前記制御部は、前記複数の保管場所に保管されている貨幣の合計量を、貨幣の種類毎に算出し、算出した合計量を、前記表示部に、貨幣の種類毎に一覧表示する。
【００２５】
この構成によると、貨幣処理システムにおいて、貨幣処理装置を含む複数の保管場所に保管されている貨幣の合計量が、貨幣の種類毎に算出される。そして、算出された合計量が、表示部に、貨幣の種類毎に一覧表示される。これにより、ユーザは、貨幣処理システムにおいて管理される貨幣の全体について、貨幣の種類毎の合計量を容易に認識することができる。したがって、ユーザは、現送準備処理が可能になったことを即座に知り、速やかに現送準備作業に着手することが可能になる。
【発明の効果】
【００２６】
本開示によると、貨幣処理システムにおいて、ユーザは、現送準備処理が可能になったことを即座に知り、速やかに現送準備作業に着手することが可能になる。
【図面の簡単な説明】
【００２７】
【図１】貨幣処理システムの一例の外観図
【図２】貨幣処理システムの機能概要を示す模式図
【図３】バラ紙幣処理部の構成例
【図４】束紙幣処理部の構成例
【図５】バラ硬貨処理部の構成例
【図６】包装硬貨処理部の構成例
【図７】損貨処理装置の構成例
【図８】損券処理装置の構成例
【図９】貨幣の合計量に対する設定値の一例
【図１０】現送準備可能を知らせる報知が行われた画面の例
【図１１】一覧画像の例
【図１２】手持ちの貨幣量が設定値に達したときの一覧画像の例
【図１３】現送準備処理後の一覧画像の例
【図１４】在高表示画面の例
【図１５】金種毎在高表示画面の例
【発明を実施するための形態】
【００２８】
以下、実施形態について、図面に基づいて詳細に説明する。
【００２９】
以下の説明では、貨幣処理システムの一例として、オープン出納システムを例にとって説明を行う。ただし、以下の説明は、例示である。このオープン出納システムは、例えば銀行等の金融機関に設置され、入金処理及び出金処理を含む各種の処理を実行する装置である。なお、ここに開示する貨幣処理システムは、金融機関に設置する以外の用途にも用いることが可能である。
【００３０】
（貨幣処理システムの全体構成）
図１は貨幣処理システムの一例としてのオープン出納システムの外観図である。図１に示す貨幣処理システム１は、貨幣処理装置として、バラ紙幣処理部１００及び束紙幣処理部２００からなる紙幣処理装置１０と、バラ硬貨処理部３００及び包装硬貨処理部４００からなる硬貨処理装置２０と、硬貨処理装置２０等による機械受付ができない損貨および記念硬貨を処理する損貨処理装置５００と、紙幣処理装置１０等による機械受付ができない損券や旧券を処理する損券処理装置６００と、現金保管装置７００とを備えている。紙幣処理装置１０及び硬貨処理装置２０の上面には、それぞれ、タッチパネルである操作表示部４０と、プリンター５０とが配置されている。ユーザは、操作表示部４０を介して各装置の操作を行い、操作表示部４０の画面において各種の情報の確認を行い、必要な情報をプリンター５０から出力させる。また、貨幣処理システム１は、例えば銀行にある管理コンピュータと通信可能に構成されていてもよい。この管理コンピュータは、銀行窓口にある窓口端末等の他の装置と接続されている。
【００３１】
バラ紙幣処理部１００は、筐体前面に、入金されるバラ紙幣を受け入れるための入金口１１０と、リジェクトされたバラ紙幣を投出するための入金リジェクト部１２０とを有し、筐体上面に、出金されるバラ紙幣を排出するための出金口１５２を有している。束紙幣処理部２００は、筐体前面上部に、束紙幣を排出するための出金口２１８を有し、筐体前面下部に、束紙幣を機外へ投出するための投出口２２１を有している。
【００３２】
バラ硬貨処理部３００は、筐体上面に、入金されるバラ硬貨を受け入れるための入金口３１０を有し、筐体前面に、出金されるバラ硬貨を排出するための出金口３７０と、リジェクトされたバラ硬貨を投出するための入金リジェクト口３２２と、硬貨袋を取り付けて該硬貨袋内にバラ硬貨を回収できるように形成された袋取シュート部３２４と、入金処理途中に処理がキャンセルされたバラ硬貨を排出するための返却回収箱３２６とを有している。包装硬貨処理部４００は、筐体前面上部に、包装硬貨を排出するための出金口４８０を有し、その下に、大量の包装硬貨を一括回収するための包装硬貨一括箱４６０と包装硬貨を機外へ投出するための投出口４７０とを有している。
【００３３】
損貨処理装置５００は、硬貨を受け入れるための入金口５１０と、受け付けた硬貨を分類して収納するための収納部５４０，５４４と、返却する硬貨を収納するための収納部５４２とを有している。受け付けた硬貨のうち、例えば損貨が収納部５４０（損貨収納部）に収納され、記念貨が収納部５４４（記念貨収納部）に収納される。
【００３４】
損券処理装置６００は、筐体上面前部に、損券や、小切手、手形等の紙葉類を受け入れるための入金口６１０を有し、筐体前面に、損券等の紙葉類を排出するための出金口６８０と、損券等を投入して保管するポスト６７０とを有している。
【００３５】
現金保管装置７００は、装置前面側に引き出し可能な複数のドロア７１１〜７１５を有し、大量の包装硬貨や束紙幣を各ドロア７１１〜７１５に金種別に分類収納して管理する貨幣処理装置である。現金保管装置７００は、各ドロア７１１〜７１５内に収納された貨幣の金種や数量を自動計数して管理する機能を有する。現金保管装置７００は筐体上部に、操作部７１６および表示部７１７を有している。各ドロア７１１〜７１５は通常はロックされており、操作部７１６及び表示部７１７により行う認証処理を経て出金処理内容あるいは入金処理内容を入力した場合に、対応するドロア７１１〜７１５のロックが解除される。
【００３６】
図２は図１の貨幣処理システム１の機能概要を説明するための模式図である。図２では、貨幣処理装置以外で貨幣を管理する管理単位（保管場所）を破線矩形で示している。手持ち８００は貨幣処理システム１のユーザ例えば銀行の窓口係等が手許で保管している貨幣であり、在庫９００は例えば銀行内にある金庫で保管されている貨幣である。貨幣処理システム１は、当該システムを構成する各貨幣処理装置に収納される貨幣に加えて、手持ち８００や在庫９００についても、関連するデータを入力して管理できるようになっている。
【００３７】
図２では、各貨幣処理装置毎に、取り扱う貨幣の種類および形態を角丸矩形で示している。例えば、紙幣処理装置１０は、バラ紙幣の正券と、束紙幣の正券とを取り扱う。また、手持ち８００および在庫９００についても、取り扱う貨幣の種類および形態を角丸矩形で示している。なお、図２に示した貨幣の種類および形態は一例であり、例えば貨幣処理システム１が設置される金融機関の運用に従って、適宜定めればよい。
【００３８】
貨幣処理システム１は、さらに、管理制御部３０と、記憶部３５とを備えている。管理制御部３０は各貨幣処理装置に接続されており、各貨幣処理装置の機能および動作を制御する。管理制御部３０は操作表示部４０によって操作され、処理の結果得られた情報等を操作表示部４０およびプリンター５０に出力する。記憶部３５には、管理制御部３０の処理に必要となる設定値等が保存される。
【００３９】
管理制御部３０は、各貨幣処理装置で機械管理されている貨幣に関する情報を管理している。例えば、貨幣処理装置が有している、貨幣を収納する収納部について、収納されている貨幣の種類及び数量に関する情報を管理している。また、管理制御部３０は、手持ち８００における貨幣の種類および数量に関する情報、在庫９００における貨幣の種類および数量に関する情報についても管理している。
【００４０】
手持ち８００及び在庫９００については、操作表示部４０を操作して、入出金する貨幣の種類及び数量を貨幣処理システム１に手入力することによって、管理制御部３０による管理が開始される。またこの他、例えば、窓口係が操作表示部４０を操作して、窓口での業務に必要な手持ち貨幣を貨幣処理システム１から出金する処理を行うと、管理制御部３０は出金貨幣を手持ち８００への入金（増額分）として管理する。同様に、例えば、操作表示部４０を操作して、金庫に保管する貨幣を貨幣処理システム１から出金する処理が行われると、管理制御部３０は出金貨幣を在庫９００への入金（増額分）として管理する。手持ち８００の貨幣の一部が銀行の顧客への出金等に利用された場合には、出金貨幣に関する情報が操作表示部４０または貨幣処理システム１と通信可能に接続された図示しない窓口端末から入力されて、この入力情報を受けた管理制御部３０が管理情報を更新して、出金貨幣を手持ち８００からの出金（減額分）として管理する。金庫から出金される場合も同様に、操作表示部４０や他の操作端末から出金貨幣に関する情報が入力されると、これを在庫９００からの出金（減額分）として管理する。
【００４１】
貨幣処理システム１では、輸送する現金を様々な形態で準備することができる（図の白抜き矢印）。例えば、紙幣処理装置１０から、正券をバラ紙幣９１２または束紙幣９１５の形態で準備することができる。また、硬貨処理装置２０から、正貨を包装硬貨９１４または麻袋等の硬貨袋内に硬貨を収納した袋取硬貨９１３の形態で準備することができる。損貨処理装置５００からは、損貨または記念貨をバラ硬貨９１１の形態で準備することができる。損券処理装置６００からは、損券をバラ紙幣９１２の形態で準備することができる。さらに、現金保管装置７００、手持ち８００および在庫９００から、貨幣を準備することも可能である。
【００４２】
このように、貨幣処理システム１では、各貨幣処理装置内に収納されている貨幣に関する情報を取得すると共に、手持ちの貨幣や金庫にある貨幣等、貨幣処理装置以外で管理されている貨幣に関する情報を取得して、これらの情報を操作表示部４０に表示したり、プリンター５０から出力したりすることができる。
【００４３】
（貨幣処理装置の構成例）
図３はバラ紙幣処理部１００の構成例を示すブロック図である。図３に示すように、入金口１１０の紙幣は繰出部１１２により１枚ずつ筐体内に繰り出され、入金搬送部１１４により搬送される。入金識別部１１６は搬送される紙幣の金種、真偽、正損、新旧等を識別する。表裏反転部１１８は入金識別部１１６により識別された紙幣の表裏を揃える。入金識別部１１６により正常な紙幣ではないと識別された紙幣、すなわちリジェクト紙幣は入金リジェクト部１２０からリジェクトされる。
【００４４】
一括一時保留部１３０には複数金種の紙幣が混合状態で一時的に保留され、複数の金種別一時保留部１３２にはそれぞれ特定の金種の紙幣が一時的に保留される。一括紙幣収納庫１４０には一括一時保留部１３０から送られた紙幣が積層状態で収納され、金種別紙幣収納庫１４２には対応する金種別一時保留部１３２から送られた紙幣が積層状態で収納される。繰出部１４４は、一括紙幣収納庫１４０及び各金種別紙幣収納庫１４２の紙幣を１枚ずつ繰り出す。
【００４５】
下部搬送部１４６は操出部１４４によって繰り出された紙幣を１枚ずつ搬送する。出金識別部１４８は、搬送される紙幣の金種、真偽、正損、新旧等を識別する。出金搬送部１５０は、出金識別部１４８により識別された紙幣のうち、筐体の外部に投出される紙幣を出金口１５２に搬送し、束紙幣処理部２００により結束される紙幣は、整理一時保留部１６０に搬送する。また、出金搬送部１５０は、出金識別部１４８により正常な紙幣ではないと識別された紙幣、すなわちリジェクト紙幣を出金リジェクト部１５４に搬送する。
【００４６】
入金搬送部１１４や出金搬送部１５０における分岐箇所にはそれぞれ分岐部材１７０が設けられており、これらの分岐部材１７０により、分岐箇所における紙幣の搬送先が制御される。また、入金搬送部１１４、下部搬送部１４６、出金搬送部１５０には紙幣を検出する紙幣検出センサ１８０が設けられており、分岐部材１７０による紙幣の搬送先制御のタイミングを決定するために利用されている。
【００４７】
図４は束紙幣処理部２００の構成例を示すブロック図である。図４に示すように、束紙幣処理部２００には、バラ紙幣処理部１００内の整理一時保留部１６０に集積された紙幣の束を取り出すためのアーム部２１０と、アーム部２１０によって取り出された紙幣の束を帯封（結束）するための帯封部２１２とが設けられている。テープセット部２１４から帯封部２１２に送られた帯封紙によって、例えば１００枚の紙幣の束が帯封される。帯封部２１２により帯封された束紙幣は帯封紙幣搬送部２１６により出金口２１８に搬送される。
【００４８】
また、出金口２１８には収納出金部２２０やリフト部２２４が接続されている。帯封紙幣判別部２２２は、出金口２１８から収納出金部２２０に送られた束紙幣の金種等の判別を行う。出金口２１８により筐体の外部に投出されない束紙幣は、各収納カセット２３０に金種別に収納される。駆動部２３２は、各収納カセット２３０に収納された束紙幣を収納出金部２２０に戻す。各収納カセット２３０から収納出金部２２０に戻された束紙幣は出金口２１８に送られて、筐体の外部に投出される。また、出金口２１８に送られた束紙幣はリフト部２２４により上下方向に搬送可能となっている。リフト部２２４の下部には束紙幣回収用の投出口２２１が設けられており、ここから束紙幣を筐体の外部に投出することも可能である。
【００４９】
図５はバラ硬貨処理部３００の構成例を示すブロック図である。図５に示すように、硬貨繰出部３１２は、入金口３１０から搬送路上に１枚ずつ硬貨を繰り出す。入金識別部３１４は搬送路を搬送される硬貨の金種、真偽、正損、新旧等を識別する。硬貨選別部３２０は入金識別部３１４による識別結果に基づいて、硬貨を選別する。正常な硬貨ではないと識別された硬貨、すなわちリジェクト硬貨は、入金リジェクト口３２２からリジェクトされる。
【００５０】
一括一時保留部３３０には複数金種の硬貨が混合状態で一時的に保留され、複数の金種別一時保留部３３２にはそれぞれ、特定の金種の硬貨が一時的に保留される。入金処理時に、入金硬貨を識別して一時保留した状態で入金が確定されると、一括一時保留部３３０内の硬貨は一括硬貨収納庫３４０へ収納され、各金種別一時保留部３３２内の硬貨はそれぞれ対応する金種別硬貨収納庫３４２へ収納される。入金処理がキャンセルされた場合には、一括一時保留部３３０及び金種別一時保留部３３２内の硬貨は、返却回収箱３２６から返却される。
【００５１】
繰出部３４４は、一括硬貨収納庫３４０及び各金種別硬貨収納庫３４２の硬貨を１枚ずつ繰り出す。繰り出された硬貨はバラ硬貨搬送部３５０により搬送される。繰り出された硬貨を袋取シュート部３２４から回収する場合には、バラ硬貨搬送部３５０から入金識別部３１４へ向けて硬貨が搬送される。入金識別部３１４により枚数計数された硬貨が、硬貨選別部３２０から袋取シュート部３２４へ送られる。一方、繰り出された硬貨を出金口３７０から出金する場合には、バラ硬貨搬送部３５０から出金識別部３５２へ向けて硬貨が搬送される。出金識別部３５２は、搬送される硬貨の金種、真偽、正損、新旧等を識別する。出金識別部３５２により識別された硬貨は出金一時保留部３５４に搬送される。出金識別部３５２による識別結果に基づいて、出金対象となる硬貨は出金箱３６０へ収納され、リジェクト硬貨は出金リジェクト箱３５６へ収納される。出金箱３６０は上下に移動可能に設けられており、出金対象となる全ての硬貨が収納された後、上方へ移動して出金口３７０から硬貨を出金する。金種別硬貨収納庫３４２に収納された硬貨により包装硬貨を作成する場合には、繰出部３４４によって繰り出された硬貨が、受渡バラ硬貨収納部３８０に収納される。
【００５２】
図６は包装硬貨処理部４００の構成例を示すブロック図である。図６に示すように、受渡バラ硬貨収納部３８０に収納された硬貨が繰出部４１０によって繰り出され、包装部４２０が所定枚数（例えば５０枚）の硬貨を包装した包装硬貨を作成する。包装部４２０は、例えば繰出部４１０によって繰り出された硬貨が所定枚数に達しなかった場合に、これらを端数箱４３０に収納する。端数箱４３０に収納された硬貨は、筐体に設けられた扉を開いて取り出せるようになっている。
【００５３】
所定枚数の硬貨を包装して正常に包装硬貨が作成されたときは、この包装硬貨は包装部４２０から包装硬貨搬送部４４０へ送られる。そして、包装硬貨は、包装硬貨搬送部４４０により、包装硬貨の金種に対応する金種別包装硬貨収納庫４５０へ収納される。また、包装部４２０によって作成した包装硬貨を、包装硬貨搬送部４４０によって、包装硬貨一括箱４６０、出金口４８０または投出口４７０に搬送し、外部に排出することもできる。また、金種別包装硬貨収納庫４５０に収納された包装硬貨は、包装硬貨搬送部４４０へ繰り出せるようになっており、繰り出された包装硬貨を、包装硬貨一括箱４６０、出金口４８０または投出口４７０から外部に排出することもできる。
【００５４】
図７は損貨処理装置５００の構成例を示すブロック図である。入金口５１０から硬貨（損貨又は記念貨）が入金されると、画像取得部５２０により硬貨の画像が取得され、この画像が貨幣処理システム１の操作表示部４０に表示される。画像取得部５２０によって画像が取得された硬貨は、損貨搬送部５３０により一時保留部５３５へ搬送されて一時的に収納される。
【００５５】
硬貨が一時保留部５３５内に収納された状態で、ユーザが、操作表示部４０に表示された画像を確認しながら操作表示部４０を操作して、硬貨の種類等の情報を入力する。具体的には、この硬貨が、流通硬貨の損貨、記念貨の正貨または損貨のいずれであるかを示す情報と、金種等の硬貨の価値を示す情報とを入力する。こうして硬貨の種類が決定されて確定指示が入力されると、一時保留部５３５内の硬貨が損貨搬送部５３０によって搬送されて、硬貨の種類に応じて、損貨収納部５４０または記念貨収納部５４４へ収納される。入金を取り消す場合や、改めて現物を確認したい場合には、返却指示が入力され、一時保留部５３５に保留されていた硬貨が損貨搬送部５３０によって搬送されて、返却硬貨収納部５４２へ収納される。
【００５６】
図８は損券処理装置６００の構成例を示すブロック図である。図８に示すように、入金口６１０から損券や旧券（まとめて「損券類」とする）が入金されると、この損券類は紙葉類繰出部６１２によって装置内に繰り出される。そして、画像取得部６２０により損券類の画像が取得され、この画像が貨幣処理システム１の操作表示部４０に表示される。画像取得部６２０によって画像が取得された損券類は、紙葉類搬送部６３０により一時保留部６４０へ搬送され、一時保留部６４０内に一時的に収納される。
【００５７】
損券類が一時保留部６４０内に収納された状態で、ユーザが、操作表示部４０に表示された画像を確認しながら操作表示部４０を操作して、損券類の種類等の情報（具体的には例えば、現行券の損券か旧券（正券、損券とも）かの区別と金額）を入力する。損券類の種類が決定されると、一時保留部６４０内の損券類が繰り出され、紙葉類搬送部６３０によって搬送されて、集積方式の損券収納部６５２またはテープ式の損券収納繰出部６５４に収納される。ここでは、キャリアシートを利用して装置内に繰り出された損券類は損券収納部６５２に収納され、一方、キャリアシートを利用することなく装置内に繰り出された損券類は損券収納繰出部６５４に収納される。損券収納部６５２に集積された損券類を出金して回収する際には、筐体の扉を開いて損券収納部６５２内の損券類をキャリアシートごと取り出して回収する。損券収納繰出部６５４に収納された損券類を回収する際には、損券収納繰出部６５４から紙葉類搬送部６３０に繰り出して、出金口６８０へ排出してから回収する。
【００５８】
なお、損券処理装置６００は、損券や旧券の入金処理以外に小切手等の紙葉類の入金処理と新券（市場流通していない完封券）の出金処理とを行えるようになっている。具体的には、小切手入金時には、損券類の場合と同様に、入金口６１０から入金された小切手は、画像取得部６２０によって画像が取得された後、紙葉類搬送部６３０によって搬送されて小切手収納部６５０に収納される。また、新券出金時には、新券収納部６６０に収納されている新券が繰り出されて新券判別部６６２により金種のみを識別する簡易識別が行われた後、紙葉類搬送部６３０によって搬送されて出金口６８０から出金される。
【００５９】
（貨幣処理システムにおける処理）
本開示における制御部としての管理制御部３０は、貨幣処理システム１が備えている各貨幣処理装置を含む複数の保管場所について、保管されている貨幣を、貨幣の種類別に管理する。ここでは、複数の保管場所は、貨幣処理装置の例である、紙幣処理装置１０（バラ紙幣処理部１００、束紙幣処理部２００）、硬貨処理装置２０（バラ硬貨処理部３００、包装硬貨処理部４００）、損貨処理装置５００、損券処理装置６００および現金保管装置７００と、手持ち８００（操作者の手元や机の引き出しの中）および在庫９００とを含む。また、貨幣の種類は、紙幣／硬貨の別、紙幣の場合は、正券／損券の別、券種（Ｅ券など）、金種（１万円、５千円など）など、硬貨の場合は、正貨／損貨／記念貨の別、金種（５００円、１００円など）等を含む。
【００６０】
＜処理その１＞
この例では、ユーザは、手持ち８００の中で、ある種類の貨幣の合計量が所定の設定値に達したとき、当該種類の貨幣について現送準備処理を行うものとする。そして、管理制御部３０は、複数の保管場所に保管されている貨幣の合計量を、貨幣の種類毎に算出し、算出した合計量のいずれかが、当該貨幣の種類に係る設定値に達すると、ユーザに対して報知を行う。この報知は、当該種類の貨幣については、複数の保管場所に保管されている貨幣を合わせると現送可能である旨を、ユーザに知らせるものである。この報知を受けたユーザは、保管場所から貨幣を手持ち８００に移行することによって、現送可能な枚数の貨幣を手持ち８００にそろえることができ、現送準備処理を実行することができる。
【００６１】
図９は貨幣の合計量に対する設定値の一例である。この設定値のデータは記憶部３５に格納され、操作表示部４０からの操作によって更新可能である。図９に示すように、この設定値は、貨幣の種類毎に設定されている。例えば図９の例では、紙幣正券Ｅ券の１万円札は、現送準備処理のための設定値は１００枚であることを示している。
【００６２】
図１０は本開示における表示部としての操作表示部４０の待機画面の例であり、管理制御部３０が報知を行った状態を示している。ここでは、管理制御部３０は、算出した合計量のいずれかが当該貨幣の種類に係る設定値に達すると、報知の一例として、待機画面に所定のアイコンの一例である「現送」アイコンＡ１を表示させている。ユーザは、この「現送」アイコンＡ１が表示されたとき、ある種類の貨幣の合計量が設定値に達したことを認識できる。なお、表示部における報知の形態はこれに限られるものではなく、例えば、画面の色等の表示態様を変化させてもよいし、現送可能になった旨のメッセージを画面に表示してもよい。また、表示部以外の手段、例えばパイロットランプの点灯やアラーム音の発生などによって、報知を行ってもかまわない。
【００６３】
報知を受けたユーザが「現送」アイコンＡ１にタッチすると、図１１のような一覧画像が表示される。この一覧画像では、現送可能な貨幣の種類として、合計量が設定値に達した貨幣の種類の一覧が表示されており、各貨幣の種類について、その合計量（現在在高）と設定値（現送準備枚数）とが表示されている。図１１の例では、損券について、Ｅ件の１万円札と５千円札とが現送可能な貨幣として表示されている。ユーザは、この一覧画像を見ることによって、どの種類の貨幣の合計量が設定値に達したかを容易に認識することができる。なお、図１１の画面では、表示された貨幣の種類はいずれも、手持ち８００の貨幣量が設定値に達していないため、「現送準備」ボタンＡ２は効かないようになっている。
【００６４】
図１１に示すように、この一覧画像は、算出した合計量の保管場所毎の内訳を示す情報を含んでいてもよい。図１１の例では、保管場所（管理箇所）として、手持ち、損券部、現金保管装置（図では「現金バス」と表示）、および、在庫が挙げられており、それぞれの保管場所における貨幣量が表示されている。例えば、損券Ｅ件１万円札は、手持ち２０枚、損券部１０枚、在庫８０枚、合計１１０枚であり、損券Ｅ件５千円札は、手持ち５０枚、損券部５０枚、現金保管装置１０枚、在庫２０枚、合計１３０枚である。貨幣量の保管場所毎の内訳が表示されることによって、ユーザは、手持ち８００の貨幣量が設定値に達するために、資金移動等どのような処理を行えばよいかを認識しやすくなる。
【００６５】
また、図１１に示すように、この一覧画像は、誘導処理を表示してもよい。誘導処理とは、合計量が設定値に達した貨幣の種類について、手持ち８００の貨幣量が設定値に達するようにユーザが行うべき処理として、貨幣処理システム１が推奨する処理のことをいう。図１１の例では、誘導処理として、損券Ｅ件１万円札については「資金移動（在庫→手持ち）」が表示されており、損券Ｅ件５千円札については「損券部回収」が表示されている。ここで、「資金移動（在庫→手持ち）」とは、在庫在高を手持ち在高に移行する処理であり、操作表示部４０を介してデータ処理を行う。現物の貨幣は、手作業で金庫から取り出す。「損券部回収」は、損券処理装置６００から損券を回収する処理であり、操作表示部４０を介して処理を行い、損券処理装置６００から損券を回収する。誘導処理が画面に表示されることによって、ユーザは、表示された誘導処理に従って、手持ち８００の貨幣量が設定値に達するための処理を容易に行うことができる。
【００６６】
なお、管理制御部３０は、誘導処理の候補が複数ある場合は、所定の優先条件に従って、誘導処理を決定すればよい。これにより、誘導処理は、例えば貨幣処理システムの設置状況や設置された金融機関の業務上のニーズ等に従って、決定される。優先条件の例としては、例えば、手持ち８００の貨幣量が設定値に達するまでに要する処理回数がより少なくなるように、誘導処理を決定すればよい。あるいは、複数の保管場所に対して優先度をつけておき、優先度の高い保管場所から順に在高が０になるように誘導処理を決定するようにしてもよい。
【００６７】
図１１の画面において、ユーザが例えば誘導処理の部分にタッチすると、その誘導処理を行う画面に遷移する。その画面から、ユーザは誘導処理として表示された処理を行う。例えばユーザは、Ｅ件一万円札の誘導処理である「資金移動（在庫→手持ち）」の部分にタッチし、「資金移動（在庫→手持ち）」の画面に遷移した後、処理を行う。なお、誘導処理への画面遷移は、他の操作入力に従って行ってもよい。また、誘導処理とは異なる処理をユーザが選択し、行うことも可能である。例えば、図１１の画面において、貨幣の移動元の管理箇所の部分にタッチすると、その管理箇所から手持ち８００への貨幣移動を行う処理の画面に遷移するようにしてもよい。例えばユーザは、Ｅ件一万円札の「損券部」の部分にタッチし、「損券部回収」の画面に遷移した後、処理を行う。
【００６８】
ユーザの処理によって、表示された貨幣の種類のいずれかについて、手持ち８００の貨幣量が設定値に達したときは、図１２のような一覧画像が表示される。図１２では、損券Ｅ件一万円札について、手持ち８００の貨幣量が１００枚であり設定値に達しているため、他の貨幣の種類と区別できるように、強調表示されている。ここでの強調表示は例えば、表示の色を変えたり、表示を拡大したり、あるいは、表示を点滅させたりすればよい。また、図１２の画面では、「現送準備」ボタンＡ２は有効になっている。なお、ユーザに対して報知してから最初に一覧画像を表示する際に、すでに貨幣の種類のいずれかについて手持ち８００の貨幣量が設定値に達しているときにも、図１２のような一覧画像を表示すればよい。
【００６９】
図１２の画面において、ユーザが有効になっている「現送準備」ボタンＡ２を押すと、現送準備画面に遷移する。現送準備画面において、ユーザは現送準備処理を行う。ここでは損券Ｅ件一万円札について、手持ち１００枚の現送準備処理を行う。これにより、損券Ｅ件一万円札について、手持ち８００の在高データは１００枚減算される。
【００７０】
図１３は現送準備処理後に表示される一覧画像の例である。図１３の例では、損券Ｅ件一万円札について、手持ち８００の在高データが１００枚減算されたので、現送可能貨幣の一覧から削除されている。ユーザは引き続き、損券Ｅ件５千円札について、誘導処理を行い、現送準備処理を行うことができる。
【００７１】
この処理では、貨幣処理システム１において、貨幣処理装置を含む複数の保管場所１０，２０，５００，６００，７００，８００，９００に保管されている貨幣の合計量が、貨幣の種類毎に算出される。そして、算出された合計量が、当該貨幣の種類に係る、予め設定された設定値に達すると、ユーザに対して報知が行われる。これにより、ユーザは、貨幣処理システム１において管理される貨幣の全体について、ある種類の貨幣の合計量が設定値に達したことを容易に認識することができる。したがって、ユーザは、現送準備処理が可能になったことを即座に知り、速やかに現送準備作業に着手することが可能になる。
【００７２】
＜処理その２＞
＜処理その１＞において、貨幣の種類のうち少なくとも１つについて、上述した設定値よりも小さい第２設定値を、貨幣の合計量に対して予め設定するようにしてもよい。そして、貨幣の合計量が、当該貨幣の種類に係る設定値に達していないが、当該貨幣の種類に係る第２設定値に達しているとき、上述した報知とは異なる態様の第２報知を、ユーザに対して行うようにしてもよい。これにより、ユーザは、貨幣処理システム１において管理される貨幣の全体について、ある種類の貨幣の合計量が、設定値に近づいていることを容易に認識することができる。
【００７３】
ここで、第２報知の例としては、例えば、「現送」アイコンＡ１とは別の、「まもなく現送」アイコンを待機画面に表示するようにすればよい。なお、表示部における報知の形態はこれに限られるものではなく、例えば、画面の色等の表示態様を変化させてもよいし、まもなく現送可能になる旨のメッセージを画面に表示してもよい。また、表示部以外の手段、例えばパイロットランプの点灯やアラーム音の発生などによって、報知を行ってもかまわない。また、一覧画面において、現送可能な貨幣の種類の一覧に加えて、まもなく現送可能になる貨幣の種類の一覧を、併せて表示するようにしてもよい。
【００７４】
＜処理その３＞
この例では、＜処理その１＞と同様に、ユーザは、手持ち８００の中で、ある種類の貨幣の合計量が所定の設定値に達したとき、現送準備処理を行うものとする。そして、管理制御部３０は、複数の保管場所に保管されている貨幣の合計量を、貨幣の種類毎に算出し、算出した合計量を、貨幣の種類毎に、操作表示部４０に一覧表示する。
【００７５】
図１４は在高表示画面の例である。図１４の例では、貨幣処理システム１全体における在高が表示されている。図１４の画面には、「金種ごと在高」ボタンＡ３が表示されており、ユーザがこの「金種ごと在高」ボタンＡ３を押すと、図１５に示すような金種ごと在高表示画面に移行する。この画面では、種類の貨幣毎に、在高すなわち合計量が表示される。図１５の画面では、正券、損券、正貨、損貨、記念貨のいずれかが選択され、選択された種類について、券種や貨種および金種毎に、在高が表示される。また、図１５の画面では、在高の保管場所毎の内訳を示す情報を含んでいる。
【００７６】
この処理では、貨幣処理システム１において、貨幣処理装置を含む複数の保管場所１０，２０，５００，６００，７００，８００，９００に保管されている貨幣の合計量が、貨幣の種類毎に算出される。そして、算出された合計量が、操作表示部４０に、貨幣の種類毎に一覧表示される。これにより、ユーザは、貨幣処理システム１において管理される貨幣の全体について、貨幣の種類毎の合計量を容易に認識することができる。したがって、ユーザは、現送準備処理が可能になったことを即座に知り、速やかに現送準備作業に着手することが可能になる。
【００７７】
＜変形例その１＞
＜処理その１＞において、貨幣の種類毎に算出した合計量のいずれかが当該貨幣の種類に係る設定値に達したとき、貨幣処理システム１からその上位の管理コンピュータに、その旨を通知するようにしてもよい。あるいは、貨幣処理システム１から、あるいは、管理コンピュータを経由して、担当者の携帯端末（タブレット端末、スマートフォン等）に、その旨を通知するようにしてもよい。
【００７８】
＜変形例その２＞
＜処理その１＞において、手持ち８００の在高データを、『通常管理』と『現送準備』とに分けて管理するようにしてもよい。この場合、『通常管理』の在高データが手持ち８００の貨幣量として取り扱われることになり、図１１のような一覧画像では、『通常管理』の在高データが手持ちの貨幣量として表示される。手持ち８００のうち『通常管理』の在高データが設定値に達すると、図１２のような一覧画像において当該貨幣の種類について強調表示がなされる。図１２の画面において、ユーザが「現送準備」ボタンＡ２を押すと、『通常管理』の在高データが設定値の分だけ（ここでは１００枚）減算されるとともに、『現送準備』の在高データに設定値の分だけ（ここでは１００枚）加算される。そして現送準備画面においてユーザが現送準備処理を行うと、『現送準備』の在高データが１００枚減算される。
【００７９】
（他の実施形態）
上述した実施形態では、貨幣処理システムの一例として、オープン出納システムを例にとって説明したが、これに限られるものではない。また、貨幣処理システムが備える貨幣処理装置もここで示したものに限られるものではない。本開示は、貨幣処理装置を含む複数の保管場所に保管されている貨幣を、貨幣の種類別に管理する貨幣処理システムであれば、適用可能である。
【符号の説明】
【００８０】
１  貨幣処理システム
３０  管理制御部（制御部）
３５  記憶部
４０  操作表示部（表示部）
１０  紙幣処理装置（貨幣処理装置）
２０  硬貨処理装置（貨幣処理装置）
５００  損貨処理装置（貨幣処理装置）
６００  損券処理装置（貨幣処理装置）
７００  現金保管装置（貨幣処理装置）
８００  手持ち
９００  在庫
【図１】
2017215886.tif 000003
【図２】
2017215886.tif 000004
【図３】
2017215886.tif 000005
【図４】
2017215886.tif 000006
【図５】
2017215886.tif 000007
【図６】
2017215886.tif 000008
【図７】
2017215886.tif 000009
【図８】
2017215886.tif 000010
【図９】
2017215886.tif 000011
【図１０】
2017215886.tif 000012
【図１１】
2017215886.tif 000013
【図１２】
2017215886.tif 000014
【図１３】
2017215886.tif 000015
【図１４】
2017215886.tif 000016
【図１５】
2017215886.tif 000017